(57)【要約】【課題】塵埃を除去する除去部が移動することによって自動的にエアフィルタの清掃を行う空調室内機において通風ロスを低減させる。【解決手段】自動清掃機構５０は、エアフィルタ１２に対して移動し、エアフィルタ１２上の塵埃を除去する除去部６０を有する。この自動清掃機構５０は、清掃終了後に、前側熱交換部１３ａの高さ方向中心よりも下方の部分である前側熱交換部１３ａの下部の前方空間３ｕに除去部６０を待機させる。【選択図】図１
2016118349.tif 000002
【特許請求の範囲】
【請求項１】
ケーシング（１１）と、
前記ケーシング内に固定され、頂部よりも前側に位置する前側熱交換部（１３ａ）及び、前記頂部よりも後側に位置する後側熱交換部（１３ｂ）を含む熱交換器（１３）と、
前記ケーシング内に固定され、前記前側熱交換部及び前記後側熱交換部の上方を覆っているエアフィルタ（１２）と、
前記エアフィルタに対して移動し、前記エアフィルタ上の塵埃を除去する除去部（６０，６０Ａ）を有する自動清掃機構（５０）と
を備え、
前記自動清掃機構は、清掃終了後に、前記前側熱交換部の高さ方向中心よりも下方の部分である前記前側熱交換部の下部の前方空間に前記除去部を待機させる、空調室内機。
【請求項２】
前記自動清掃機構は、前記除去部とは別に前記ケーシングに固定され、前記除去部が除去した塵埃を収納する塵埃収納部（７０，７０Ａ）を有し、前記塵埃収納部が前記除去部よりも下に配置されている、
請求項１に記載の空調室内機。
【請求項３】
前記自動清掃機構は、清掃終了後に、前記除去部を前記エアフィルタの下端部よりも下で待機させる、
請求項１又は請求項２に記載の空調室内機。
【請求項４】
前記熱交換器は、前記前側熱交換部が斜め下方後側に傾斜する前側下部熱交換部を含む、
請求項１から３のいずれか一項に記載の空調室内機。
【請求項５】
前記熱交換器の前記頂部よりも下に配置されたクロスフローファン（１５）をさらに備え、
前記自動清掃機構は、清掃終了後に、前記除去部を前記クロスフローファンの回転中心よりも下で待機させる、
請求項１から４のいずれか一項に記載の空調室内機。
【請求項６】
前記ケーシングは、前記前側熱交換部の下方に前記前側熱交換部で発生するドレン水を受ける前側ドレンパン（３３）を有し、
前記自動清掃機構は、清掃終了後に、前記除去部を前記前側ドレンパンの前方で待機させる、
請求項１から５のいずれか一項に記載の空調室内機。
【請求項７】
前記自動清掃機構は、清掃終了後に、前記除去部が前記エアフィルタ及び／又は当該エアフィルタの周辺部材を放した開状態で待機させる、
請求項１から６のいずれか一項に記載の空調室内機。
【発明の詳細な説明】
【技術分野】
【０００１】
本発明は、空調室内機、特に、エアフィルタの自動清掃機構を備える空調室内機に関する。
【背景技術】
【０００２】
従来から、空調室内機には、塵埃を除去するためのエアフィルタが設けられるのが一般的である。そして近年、例えば特許文献１（特開２００８−１８０５００号公報）などに開示されているような、エアフィルタを自動的に清掃する機能が空調室内機に与えられ、メンテナンスの手間を省くことでユーザの利便性の向上が図られている。
【発明の概要】
【発明が解決しようとする課題】
【０００３】
しかし、特許文献１に記載されているようにブラシなどの塵埃の除去部が移動する構成は、吸入しようとする室内空気の流れをブラシなどの除去部が妨げ、通風ロスを発生させる原因ともなる。
【０００４】
本発明の課題は、塵埃を除去する除去部が移動することによって自動的にエアフィルタの清掃を行う空調室内機の通風ロスを低減させることである。
【課題を解決するための手段】
【０００５】
本発明の第１観点に係る空調室内機は、ケーシングと、ケーシング内に固定され、頂部よりも前側に位置する前側熱交換部及び、頂部よりも後側に位置する後側熱交換部を含む熱交換器と、ケーシング内に固定され、前側熱交換部及び後側熱交換部の上方を覆っているエアフィルタと、エアフィルタに対して移動し、エアフィルタ上の塵埃を除去する除去部を有する自動清掃機構とを備え、自動清掃機構は、清掃終了後に、前側熱交換部の高さ方向中心よりも下方の部分である前側熱交換部の下部の前方空間に除去部を待機させる。
【０００６】
第１観点に係る空調室内機において、清掃終了後には、室内空気の流量の少ない前側熱交換部の下部の前方空間に除去部が待機するので、除去部に当たる室内空気が少なくなり、通風ロスを小さくすることができる。
【０００７】
本発明の第２観点に係る空調室内機は、第1観点の空調室内機において、自動清掃機構は、除去部とは別にケーシングに固定され、除去部が除去した塵埃を収納する塵埃収納部を有し、塵埃収納部が除去部よりも下に配置されている、ものである。
【０００８】
第２観点に係る空調室内機において、塵埃収納部が除去部とは別に設けられ、室内空気の流れのほとんどない除去部よりも下の領域に配置されるので、除去部と分けて配置された塵埃収納部に対して熱交換器に向かう室内空気がほとんど当たらない状況をつくりだすことができる。
【０００９】
本発明の第３観点に係る空調室内機は、第1観点又は第２観点の空調室内機において、自動清掃機構は、清掃終了後に、除去部をエアフィルタの下端部よりも下で待機させる、ものである。
【００１０】
第３観点に係る空調室内機において、室内空気の流れのほとんどないエアフィルタの下端部よりも下で除去部が待機させられるので、熱交換器に向かう室内空気が除去部にほとんど当たらなくなる。
【００１１】
本発明の第４観点に係る空調室内機は、第１観点から第３観点のいずれかの空調室内機において、熱交換器は、前側熱交換部が斜め下方後側に傾斜する前側下部熱交換部を含む、ものである。
【００１２】
第４観点に係る空調室内機において、前側熱交換部の前側下部熱交換部が斜め下方後側に傾斜するので、前側下部熱交換部が真っ直ぐ下に延びる場合や斜め下方前側に傾斜する場合に比べて、前方空間において前側からエアフィルタに入る室内空気の気流の向きの鉛直方向成分が多くなって除去部に当たる室内空気の気流を減らし易くなる。
【００１３】
本発明の第５観点に係る空調室内機は、第１観点から第４観点のいずれかの空調室内機において、熱交換器の頂部よりも下に配置されたクロスフローファンをさらに備え、自動清掃機構は、清掃終了後に、除去部をクロスフローファンの回転中心よりも下で待機させる、ものである。
【００１４】
第５観点に係る空調室内機において、室内空気の気流の回り込みの少ないクロスフローファンの回転中心よりも下で除去部を待機させるので、除去部に当たる室内空気の気流を減らすことができる。
【００１５】
本発明の第６観点に係る空調室内機は、第１観点から第５観点のいずれかの空調室内機において、ケーシングは、前側熱交換部の下方に前側熱交換部で発生するドレン水を受ける前側ドレンパンを有し、自動清掃機構は、清掃終了後に、除去部を前側ドレンパンの前方で待機させる、ものである。
【００１６】
第６観点に係る空調室内機において、室内空気の流れのほとんどない前側ドレンパンの前方で除去部が待機させられるので、熱交換器に向かう室内空気が除去部にほとんど当たらなくなる。
【００１７】
本発明の第７観点に係る空調室内機は、第１観点から第６観点のいずれかの空調室内機において、自動清掃機構は、清掃終了後に、除去部がエアフィルタ及び／又は当該エアフィルタの周辺部材を放した開状態で待機させる、ものである。
【００１８】
第７観点に係る空調室内機において、エアフィルタ及び／又は当該エアフィルタの周辺部材を除去部が放すことで、放さない閉状態で待機させる場合に比べて除去部の消耗を抑制することができる。
【発明の効果】
【００１９】
本発明の第１観点に係る空調室内機では、塵埃を除去する除去部が移動することによって自動的にエアフィルタの清掃を行う空調室内機の通風ロスを低減させることができる。
【００２０】
本発明の第２観点に係る空調室内機では、塵埃収納部を通風の少ない箇所に配置できるとともに除去部を小さくでき、さらに通風ロスを低減させることができる。
【００２１】
本発明の第３観点に係る空調室内機では、除去部による通風ロスがほとんど発生しなくなる。
【００２２】
本発明の第４観点に係る空調室内機では、通風ロスを低減させ易くなる。
【００２３】
本発明の第５観点に係る空調室内機では、除去部に当たる室内空気を減らして通風ロスを低減させることができる。
【００２４】
本発明の第６観点に係る空調室内機では、除去部による通風ロスがほとんど発生しなくなる。
【００２５】
本発明の第７観点に係る空調室内機では、除去部の消耗を抑制することでランニングコストを低下させることができる。
【図面の簡単な説明】
【００２６】
【図１】本発明の一実施形態に係る空調室内機の断面図。
【図２】前面パネルなどを取り除いて、前側熱交換器及び後側熱交換器の周辺の構成を表している斜視図。
【図３】制御部によって制御される対象の一部を示すブロック図。
【図４】除去部の構成の一例を示す断面図。
【図５】（ａ）締結時の除去部の端部を拡大した斜視図、（ｂ）離反時の除去部の端部を拡大した斜視図。
【図６】（ａ）締結時の除去部の端部を拡大した断面斜視図、（ｂ）締結時と離反時の両方の状態をとらせた除去部の端部を拡大した断面斜視図。
【図７】締結される前の離反時の除去部周辺を拡大した断面図。
【図８】締結後の除去部周辺を拡大した断面図。
【図９】エアフィルタ全体の形状を説明するための断面図。
【図１０】凸リブを説明するための左側のエアフィルタ前面付近の部分拡大斜視図。
【図１１】凸リブを説明するための左側のエアフィルタ付近の部分拡大斜視図。
【図１２】（ａ）凸リブに到達する前の締結時の除去部を示す部分拡大側面面図、（ｂ）凸リブに到達した後の離反時の除去部を示す部分拡大側面面図。
【図１３】塵埃収納部と除去部の断面図。
【図１４】待機している除去部を示す部分拡大断面図。
【図１５】除去部の変形例を説明するための塵埃収納部と除去部の断面図。
【発明を実施するための形態】
【００２７】
（１）全体構成
図１は、一実施形態に係る空調室内機の断面図である。図１に示されている空調室内機１０は、ケーシング１１、エアフィルタ１２、室内熱交換器１３、クロスフローファン１５、垂直羽根１６、水平羽根１７、開閉板１８、制御部４０（図３参照）及び自動清掃機構５０を備えている。図２は、図１に示されている空調室内機１０の室内熱交換器１３とその周辺の構成を示す斜視図である。図３は、制御部４０が制御する対象の一部を示すブロック図である。
【００２８】
以下においては、図１及び図２に矢印で示されているように、図１の断面に対して垂直であって手前に向かう方向を左方向、奥に向かう方向を右方向として説明する。また、クロスフローファンに対して水平羽根１７が下にある。クロスフローファン１５を挟んで水平羽根１７の反対側の上方にケーシング１１の開口部、すなわち上部吸込み口２０がある。上部吸込み口２０から吸込まれた室内空気は、天面１１ｊの吸込空間Ｓ４だけでなく、前面パネル１１ａの後側の吸込空間Ｓ３にまで回って吸込まれる。ケーシング１１の上から吸込まれた室内空気は、ケーシング１１内で温度や湿度が調節され、調和空気となって下方の吹出し口２１から吹き出される。また、空気の吸い込みを補助するために、ケーシング１１の下側に下部吸込み口２２が設けられている。この下部吸込み口２２は、エアフィルタ１２の上方に設けられた開口部２３に繋がっている。図１において、二点鎖線で示された矢印Ａｒ１は、吸込まれる室内空気の流れを表しており、一点鎖線で示された矢印Ａｒ２は吹き出される調和空気の流れを表している。
【００２９】
（２）詳細構成
（２−１）ケーシング１１
ケーシング１１は、前面パネル１１ａ、背面板１１ｂ、底フレーム１１ｃ及び底面パネル１１ｄを有している。このケーシング１１によって空調室内機１０の外郭及びフレームが形づくられている。前面パネル１１ａは、左右に長く延びており、空調室内機１０の前面を幅一杯に覆う化粧板である。前面パネル１１ａは、回動自在に支持されており、エアフィルタ１２及び自動清掃機構５０の塵埃収納部７０を取り出すために上端を前側に引いて回動させて開くことができるように構成されている。背面板１１ｂは、室内の壁に取り付けら、空調室内機１０を支える役割を果たす。底フレーム１１ｃは、前面パネル１１ａと背面板１１ｂとの間に設けられている。底フレーム１１ｃも左右に長く延びており、底フレーム１１ｃには、リアガイダ３１、スタビライザ３２、前側ドレンパン３３及び後側ドレンパン３４が形成されている。リアガイダ３１及びスタビライザ３２によって吹出し口２１に続く吹出し流路２１ａが形成されている。また、底フレーム１１ｃに、クロスフローファン１５、室内熱交換器１３、エアフィルタ１２、垂直羽根１６、水平羽根１７及び開閉板１８が取り付けられている。そして、底面パネル１１ｄは、空調室内機１０の底面を覆う化粧板である。
【００３０】
（２−２）エアフィルタ１２
エアフィルタ１２は、上部吸込み口２０と室内熱交換器１３との間に配置されている。室内熱交換器１３を通過する前に、室内空気は、エアフィルタ１２を通過することにより塵埃が除去される。除去された塵埃は、一旦エアフィルタ１２に付着し、自動清掃機構５０によって自動的に集塵される。そのため、エアフィルタ１２は、室内熱交換器１３を囲むように、断面逆Ｊ字型にケーシング１１に取り付けられる。エアフィルタ１２は、メッシュ状に成形されたプラスチックからなる、細かい網目の形成された部材である。
【００３１】
（２−３）室内熱交換器１３
室内熱交換器１３は、前側熱交換部１３ａと後側熱交換部１３ｂとからなっている。室内熱交換器１３は、多数の薄い金属製のフィン８１と複数の伝熱管８２を含んでいる。フィン８１は、互いが平行になるように、かつクロスフローファン１５が延びる左右方向に対して垂直に配置されている。伝熱管８２は、フィン８１を貫いて左右方向に延びており、内部を流れる冷媒とフィン８１との間で熱のやり取りを行わせるための部材である。多数のフィン８１は、その隙間を通る室内空気との間で熱交換を行う。また、室内空気の中の水分がフィン８１に付着する結露によって、室内熱交換器１３による除湿が可能になる。前側熱交換部１３ａに付着した結露水は、前側ドレンパン３３によって集められて空調室内機１０の外に排出され、後側熱交換部１３ｂに付着した結露水は、後側ドレンパン３４によって集められて空調室内機１０の外に排出される。
【００３２】
室内熱交換器１３には、頂部１３ｃがある。そして、前側熱交換部１３ａは、頂部１３ｃから前側斜め下方に傾斜する前側上部熱交換部１３ａａと、前側上部熱交換部１３ａａの下端部から後側斜め後方に傾斜する前側下部熱交換部１３ａｂとを含んでいる。後側熱交換部１３ｂは、頂部１３ｃから後側斜め下方に傾斜している。
【００３３】
（２−４）クロスフローファン１５
クロスフローファン１５は、室内熱交換器１３と吹出し口２１との間に位置する。クロスフローファン１５は、左右方向に長く延びる円筒状のファンロータ１５ａと、ファンロータ１５ａを回転させるモータＭ５（図３参照）とを備えている。ファンロータ１５ａは、円周に沿って並ぶ複数のファン翼からなっており、ファン中心点（回転中心Ｏ）を中心に回転することによって、室内熱交換器１３から吹出し口２１に向かう空気の流れを発生させる。クロスフローファン１５は、制御部４０によってその回転が制御されており、制御部４０からの指令に応じて送風量を変化させることができる。
【００３４】
（２−５）垂直羽根１６及び水平羽根１７
垂直羽根１６は、吹出し流路２１ａ内に配置されている。垂直羽根１６は、ステッピングモータＭ１（図３参照）により回動して、左右方向の風向を調節する。水平羽根１７は、吹出し口２１に沿って配置されており、ステッピングモータＭ２（図３参照）により回動して、上下方向の風向を調節する。
【００３５】
（２−６）開閉板１８
開閉板１８は、下部吸込み口２２の開閉を行うためにケーシング１１の下面に配置されている。開閉板１８は、ステッピングモータＭ３（図３参照）により回動する。開閉板１８が開いている状態では、下部吸込み口２２から室内空気が吸込まれ、上方の開口部２３からエアフィルタ１２の上方に室内空気が吹出される。
【００３６】
（２−７）制御部４０
制御部４０は、ケーシング１１の内部に設置されている電装品箱（図示せず）に収納されている。制御部４０は、例えばメモリ４２に記憶されている指示及びリモートコントローラ４１からの指示に従って空調室内機１０の制御を行う。図３には、制御部４０によって制御される器材のうちの一部が示されている。制御部４０は、上述のステッピングモータＭ１〜Ｍ３以外に、自動清掃機構５０のステッピングモータＭ４、及びクロスフローファン１５のモータＭ５を制御する。
【００３７】
（２−８）自動清掃機構５０
図２に示されているように、自動清掃機構５０は、除去部６０と塵埃収納部７０とステッピングモータＭ４（図３参照）と駆動ベルト５１とを備えている。除去部６０は、ステッピングモータＭ１の駆動力が駆動ベルト５１によって伝達されて駆動される。また、ケーシング１１には、除去部６０を案内する案内溝１１ｇ（図９参照）及び、除去部６０の締結と離反を行わせるためのガイドリブ１１ｅ（図７参照）と凸リブ１１ｆ（図１０参照）が設けられている。
【００３８】
（２−８−１）除去部６０の構成
図４には、除去部６０の断面形状が示されている。除去部６０は、風上側ブラシユニット６０ａと風下側ブラシユニット６０ｂとを有する。風上側ブラシユニット６０ａに含まれる風上側板状部材６１ａと風下側ブラシユニット６０ｂに含まれる風下側板状部材６１ｂとは、互いに対向する中空の部材である。風上側板状部材６１ａの風下側の面には、傾斜ブラシ６３が設けられている。傾斜ブラシ６３は、清掃時の移動方向に対してブラシ毛が前方に向かって傾斜している。ブラシ毛が前方に向かって傾斜しているため、前方に向かって移動しているときにエアフィルタ１２と接触すると、摺動抵抗が大きくなって塵埃を多く除去できる。逆に、後方に向かって移動しているときにエアフィルタ１２に接触すると傾斜ブラシ６３からエアフィルタ１２へ塵埃を移してしまうため、除去部６０は、後方に向かって移動するときには傾斜ブラシ６３がエアフィルタ１２から離れるように構成されている。風下側板状部材６１ｂの風上側の面には、直毛ブラシ６４が設けられている。直毛ブラシ６４は、ばらつきはあるものの、移動方向に対して垂直な方向に延びるようにブラシ毛が直立している。直毛ブラシ６４は、前後どちらに移動するときもエアフィルタ１２に接触するように配置されている。直毛ブラシ６４は、エアフィルタ１２の塵埃を風上側、つまり傾斜ブラシ６３の方に浮かせるためのものであるため、エアフィルタ１２の網目から僅かに風上側に突き抜けるように配置されている。
【００３９】
除去部６０の両端部には、ケーシング１１の案内溝１１ｇに嵌るローラ６７が設けられている（図５（ａ）参照）。また、除去部６０の両端部には、駆動ベルト５１に係止される被係止突起６８が突出している。また、除去部６０には、後述する塵埃収納部７０の蓋７２，７３（図１３参照）を開くための開閉用突出部６２ａ，６２ｂが設けられている。さらに、除去部６０の端部には、ガイドリブ１１ｅに当接するための当接部材６９が設けられている。
【００４０】
（２−８−２）除去部６０の締結と離反のための構成
図５（ａ）には、離反時の除去部６０の端部が拡大して示され、図５（ｂ）には、締結時の除去部６０の端部が拡大して示されている。また、図６（ａ）には、図５（ａ）の状態の断面が示され、図６（ｂ）には、締結状態と離反状態にある左右の風上側ブラシユニット６０ａ、及び風下側ブラシユニット６０ｂの断面が示されている。図６（ｂ）に示されている状態は説明を分かり易くするためのものであって、実際の動作中のものではない。風下側ブラシユニット６０ｂの両端及び中央部において、合計４本の第１締結部材６５が上方に延びている。第１締結部材６５には開口部６５ａが形成されている。また、第１締結部材６５の上端部には風上側ブラシユニット６０ａの中央側に向けて突出した爪部６５ｂが形成されている。風上側ブラシユニット６０ａには第２締結部材６６に嵌めこまれ、バネ（図示せず）によって左右方向の外側に向かって付勢されている。第２締結部材６６には爪部６５ｂと接触する爪部６６ａが左右方向の外側に向かって突出している。また、第２締結部材６６の下方には、第１締結部材６５の開口部６５ａを貫通する突起部６６ｂが形成されている。この突起部６６ｂには、下向きに開口した凹部６６ｂａが形成されている。
【００４１】
除去部６０の締結時には、第１締結部材６５の爪部６５ｂの下部に第２締結部材６６の爪部６６ａの上部が接触している。また、第１締結部材６５の開口部６５ａの縁に第２締結部材６６の突起部６６ｂの凹部６６ｂａが嵌っている。このような状態では、風下側ブラシユニット６０ｂに対する風上側ブラシユニット６０ａの上下方向の動きは、第１締結部材６５の開口部６５ａの縁に第２締結部材６６の突起部６６ｂが接触していること及び第１締結部材６５の爪部６５ｂの下部と第２締結部材６６の爪部６６ａの上部が接触していることによって規制される。また、風下側ブラシユニット６０ｂに対する風上側ブラシユニット６０ａの左右方向の動きは、第２締結部材６６の凹部６６ｂａが第１締結部材６５の開口部６５ａの縁に嵌合することによって規制される。
【００４２】
除去部６０の離反時には、第１締結部材６５の爪部６５ｂが第２締結部材６６の爪部６６ａに押されてバネが縮んで、第２締結部材６６が左右方向の内側に摺動する。除去部６０が開ききると、第１締結部材６５の爪部６５ｂを第２締結部材６６の爪部６６ａが乗り越えて爪部６６ａが爪部６５ｂを押さなくなり、第２締結部材６６を押すバネの付勢が緩和される。
【００４３】
除去部６０の離反時には、第２締結部材６６の爪部６６ａの下部に第１締結部材６５の爪部６５ｂの上部が接触し、第１締結部材６５の爪部６５ｂの下部が第２締結部材６６の突起部６６ｂの上面に当接することにより、上下の動きが規制される。また、第１締結部材６５の爪部６５ｂの頂部が第２締結部材６６の側面に接触することにより、左右の動きが規制される。
【００４４】
（２−８−３）除去部６０の締結と離反の動作
図７には、除去部６０の風上側ブラシユニット６０ａと風下側ブラシユニット６０ｂが離反した状態で後側に進んでいるところが示され、図８には、風上側ブラシユニット６０ａと風下側ブラシユニット６０ｂが後側で締結されたところが示されている。風上側ブラシユニット６０ａには、上面６９ａの後側が斜めに下がった当接部材６９が設けられている。
【００４５】
除去部６０が後側に移動することによって、当接部材６９の上面６９ａがガイドリブ１１ｅに当接する。さらに、除去部６０が後方に向かって移動するに従って、ガイドリブ１１ｅとエアフィルタ１２（案内溝１１ｇ）の隙間が狭くなるので、ガイドリブ１１ｅによって当接部材６９の上面６９ａが風下側ブラシユニット６０ｂの方に押し込まれる。そして、除去部６０がエアフィルタ１２から後側に外れるまでに除去部６０の風上側ブラシユニット６０ａと風下側ブラシユニット６０ｂが締結される。
【００４６】
締結が完了した除去部６０は、エアフィルタ清掃時に、締結された状態で前方に向かって駆動ベルト５１によって駆動される。除去部６０は、エアフィルタ１２を清掃しながらエアフィルタ１２に沿って前側の下方の位置（図９参照）まで移動する。エアフィルタ押さえ１１ｈの凸リブ１１ｆ以外の部分が、締結時の風上側板状部材６１ａの風下側の面と風下側板状部材６１ｂの風上側の面との間隔よりも薄いので（図１０及び図１１参照）、凸リブ１１ｆに達するまでは、風上側ブラシユニット６０ａと風下側ブラシユニット６０ｂが締結されたままエアフィルタ押さえ１１ｈに沿ってエアフィルタ１２の外側にまで移動する。そして、除去部６０の風上側ブラシユニット６０ａと風下側ブラシユニット６０ｂとは、図１２（ａ）及び図１２（ｂ）に示されているように、風上側板状部材６１ａの風下側の面と風下側板状部材６１ｂの風上側の面が凸リブ１１ｆに当接して押し広げられることによって離反する。そのために、凸リブ１１ｆは、上方から下方に向かって徐々に厚みが増すように形成されている。この凸リブ１１ｆは、エアフィルタ押さえ１１ｈに設けられている。
【００４７】
（２−８−４）塵埃収納部７０の構成
図１３に示されているように、塵埃収納部７０は、ダストボックス７１と、第１開閉蓋７２及び第２開閉蓋７３と、第１塵埃剥離ブラシ７４及び第２塵埃剥離ブラシ７５とを備えている。塵埃収納部７０は、図１に示されているように、エアフィルタ１２の下方にあって、前面パネル１１ａの後側に配置されている。ダストボックス７１に貯まった塵埃を捨てるときには、前面パネル１１ａを開くことによって、図１１に示されているように塵埃収納部７０を露出させることができる。後述するように、除去部６０は、エアフィルタ１２の前側であって、エアフィルタ１２の下端部１２ａより下側で待機しているので、塵埃収納部７０を前方に引き出すときには、例えば制御部４０が前面パネル１１ａの回動を検知して除去部６０を後退させる。
【００４８】
除去部６０は、開閉用突出部６２ａ，６２ｂによって第１開閉蓋７２及び第２開閉蓋７３を開いて、塵埃をダストボックス７１の中に落とす。そのために、除去部６０は、第１塵埃剥離ブラシ７４及び第２塵埃剥離ブラシ７５に傾斜ブラシ６３及び直毛ブラシ６４を擦りつけるようにして上下に往復動作を行う。除去部６０は、清掃が終了して後方に待機するときには離反したままの状態で待機する。
【００４９】
（３）除去部６０の待機位置と塵埃収納部７０の配置位置
図１のうちのエアフィルタ１２の前端部の近傍を拡大した図が図１４である。清掃が終了した除去部６０が待機する位置は、前側熱交換部１３ａの高さ方向中心よりも下方の部分（ｈ/２までの範囲）である、前側熱交換部１３ａの下部の前方空間Ｓ３ｕである。ただし、前側熱交換部１３ａの高さをｈとする。この空調室内機１０では、図１に示されているように、除去部６０は、クロスフローファン１５の回転中心Ｏよりも下で待機する。上部吸込み口２０から吸込まれてクロスフローファン１５の回転中心Ｏよりも下までは、室内空気の気流の回り込みが少ない。また、この空調室内機１０において、自動清掃機構５０は、清掃終了後に、除去部６０を前側ドレンパン３３の前方で待機させている。前側ドレンパン３３の前方で待機させられている除去部６０には、室内熱交換器１３に向かう室内空気がほとんど当たらなくなる。図１４に示されている状態では、風上側板状部材６１ａの後端部がエアフィルタ１２のメッシュの下端部の外側に位置している。そのため、エアフィルタ１２に清掃は、エアフィルタ１２についてフィルタ機能を発揮する部分の全面に渡って清掃ができる。
【００５０】
さらに、この場合の待機状態では、エアフィルタ１２の下端部１２ａの外側に風上側板状部材６１ａの後端部が位置しているので、メンテナンス時のエアフィルタ１２の着脱において除去部６０は邪魔にならない。
【００５１】
除去部６０を図１４に示されている待機位置まで移動するためには、制御部４０がステッピングモータＭ４を使って増し締めする。ここで増し締めとは、除去部６０が下端まで達して動かなくなった状態でステッピングモータＭ４によってトルクを掛けることである。このような増し締めによって、除去部６０を下端部まで確実に移動させることができる。また、自動清掃機構５０は、清掃終了後に、除去部６０がエアフィルタ１２及びは当該エアフィルタ１２の周辺部材を放した開状態で待機させる。ここでは、例えばエアフィルタ押さえ１１ｈが周辺部材である。
【００５２】
塵埃収納部７０は、除去部６０の待機位置よりも下に配置されている。つまり、塵埃収納部７０は、除去部６０に比べて通風ロスを発生し難い位置にあるということである。塵埃収納部７０は、除去部６０とは別にケーシング１１に固定されているので、配置位置及び形状についての設計上の制限が除去部６０に比べて小さいので、通風ロスが発生しないような配置位置と形状にすることが容易になっている。
【００５３】
（４）特徴
（４−１）
以上説明したように、自動清掃機構５０は、清掃終了後に、室内空気の流量の少ない前側熱交換部１３ａの下部の前方空間Ｓ３ｕに除去部６０が待機するので、除去部６０に当たる室内空気が少なくなり、通風ロスを小さくすることができる。その結果、塵埃を除去する除去部６０が移動することによって自動的にエアフィルタ１２の清掃を行う空調室内機１０において、通風ロスを低減させることができる。
【００５４】
（４−２）
塵埃収納部７０は、除去部６０とは別に設けられ、室内空気の流れのほとんどない除去部６０よりも下の領域に配置されている。除去部６０と分けて配置された塵埃収納部７０に対して室内熱交換器１３に向かう室内空気がほとんど当たらない状況をつくりだすことができる。その結果、塵埃収納部７０を通風の少ない箇所に配置できるとともに除去部６０を小さくでき、さらに通風ロスを低減させることができる。
【００５５】
（４−３）
図１４に示されているように、自動清掃機構５０は、清掃終了後に、除去部６０をエアフィルタ１２の下端部１２ａよりも下で待機させる。室内空気の流れのほとんどないエアフィルタ１２の下端部１２ａよりも下で除去部６０が待機させられるので、室内熱交換器１３に向かう室内空気が除去部６０にほとんど当たらなくなる。その結果、除去部６０による通風ロスがほとんど発生しなくなる。
【００５６】
（４−４）
図１に示されているように、室内熱交換器１３は、前側熱交換部１３ａが斜め下方後側に傾斜する前側下部熱交換部１３ａｂを含んでいる。前側下部熱交換部１３ａｂが斜め下方後側に傾斜するので、前側下部熱交換部が真っ直ぐ下に延びる場合や斜め下方前側に傾斜する場合に比べて、前方空間Ｓ３ｕにおいて前側からエアフィルタ１２に入る室内空気の気流の向きの鉛直方向成分が多くなって除去部６０に当たる室内空気の気流を減らし易くなる。従って、上述のような除去部６０との組み合わせにより、通風ロスを低減させ易い空調室内機１０になる。
【００５７】
（４−５）
図１に示されているように、自動清掃機構５０は、清掃終了後に、除去部６０をクロスフローファン１５の回転中心Ｏよりも下で待機させる。前方空間Ｓ３ｕにおいて、クロスフローファン１５の回転中心Ｏよりも下には室内空気の気流の回り込みが少ないことから、待機している除去部６０に当たる室内空気の気流を減らすことができる。その結果、除去部６０に当たる室内空気が減り、通風ロスが低減される。
【００５８】
（４−６）
図１に示されているように、自動清掃機構５０は、清掃終了後に、除去部６０を前側ドレンパン３３の前方で待機させる。前方空間Ｓ３ｕにおいて、前側ドレンパン３３の前方には室内空気の流れがほとんどないことから、待機している除去部６０に室内熱交換器１３に向かう室内空気がほとんど当たらなくなる。その結果、除去部６０による通風ロスがほとんど発生しなくなる。
【００５９】
（４−７）
自動清掃機構５０は、清掃終了後に、除去部６０がエアフィルタ１２及びエアフィルタ１２の周辺部材を放した開状態で待機させる。ここでは、エアフィルタ１２の周辺部材である、例えばエアフィルタ押さえ１１ｈを除去部６０が放しているが、他の周辺部材を掴んでいてもよい。開状態となることで、除去部６０の傾斜ブラシ６３及び直毛ブラシ６４がフリーな状態になるので、放さない閉状態で待機させる場合に比べて除去部６０の消耗、例えば傾斜ブラシ６３及び直毛ブラシ６４の消耗を抑制することができる。その結果、例えば除去部６０の傾斜ブラシ６３及び直毛ブラシ６４の交換期間を長くするなど、除去部６０の消耗を抑制することでランニングコストを低下させることができる。
【００６０】
（５）変形例
（５−１）変形例１Ａ
上記実施形態では、除去部６０に傾斜ブラシ６３と直毛ブラシ６４だけが設けられている場合について説明したが、除去部６０の風下側に補助的な塵埃収納部７０を設けてもよい。上記実施形態の除去部６０は、軽量化するために内部が中空になっているので、この部分を塵埃の補助的な収納部として用いることができるように、図１５に示すように、開口部９０と蓋９１とを設けた除去部６０Ａのような構成とすることもできる。この場合、塵埃収納部７０Ａには、蓋９１を開けるための押圧部材７６が設けられている。
【００６１】
（５−２）変形例１Ｂ
上記実施形態では、後側熱交換部１３ｂが一つのパートで構成されている場合について説明したが、後側熱交換部１３ｂも前側熱交換部１３ａの前側上部熱交換部１３ａａ及び前側下部熱交換部１３ａｂと同じように複数のパートからなるものであってもよい。その場合に、後側熱交換部１３ｂが頂部１３ｃから後側斜め下方に傾斜する部分を持っていればよい。
【符号の説明】
【００６２】
１０    空調室内機
１１    ケーシング
１２    エアフィルタ
１３    室内熱交換器
５０    自動清掃機構
６０，６０Ａ    除去部
７０，７０Ａ    塵埃収納部
【先行技術文献】
【特許文献】
【００６３】
【特許文献１】特開２００８−１８０５００号公報
【図１】
2016118349.tif 000003
【図２】
2016118349.tif 000004
【図３】
2016118349.tif 000005
【図４】
2016118349.tif 000006
【図５】
2016118349.tif 000007
【図６】
2016118349.tif 000008
【図７】
2016118349.tif 000009
【図８】
2016118349.tif 000010
【図９】
2016118349.tif 000011
【図１０】
2016118349.tif 000012
【図１１】
2016118349.tif 000013
【図１２】
2016118349.tif 000014
【図１３】
2016118349.tif 000015
【図１４】
2016118349.tif 000016
【図１５】
2016118349.tif 000017